(57)【要約】      （修正有）【訣題】ネクタイがずり落ちない機能を有しながら、見映えの改善をも図ったワイシャツを提供する。【解決手段】ワイシャツＷは、ワイシャツ本体１の内襟と外襟３との間に通し、喉の前で結び目を作って体の前に垂らすネクタイＮを有する。ワイシャツ本体１の外襟３に設けられたボタン穴と、ワイシャツ本体１の内襟に取り付けられ、ボタン穴に通して止められるボタン５とを備える。【選択図】図１
0003168169.tif 000002
【実用新案登録請求の範囲】
【請求項１】
ワイシャツ本体の内襟と外襟との間に通し、喉の前で結び目を作って体の前に垂らすネクタイを有したワイシャツであって、
前記ワイシャツ本体の外襟に設けられたボタン穴と、
前記ワイシャツ本体の内襟に取り付けられ、前記ボタン穴に通して止められるボタンとを備え、
前記ボタンを前記ボタン穴に通して止め、前記ワイシャツ本体の内襟と外襟との間に通した前記ネクタイがずり落ちるのを防止する
ことを特徴とするワイシャツ。
【請求項２】
ワイシャツ本体の内襟と外襟との間に通し、喉の前で結び目を作って体の前に垂らすネクタイを有したワイシャツであって、
前記ワイシャツ本体の外襟に設けられた第１の面状ファスナーと、
前記ワイシャツ本体の内襟に取り付けられ、前記第１の面状ファスナーに係止する第２の面状ファスナーとを備え、
前記第１の面状ファスナーに前記第２の面状ファスナーを係止し、前記ワイシャツ本体の内襟と外襟との間に通した前記ネクタイがずり落ちるのを防止する
ことを特徴とするワイシャツ。
【請求項３】
ワイシャツ本体の内襟と外襟との間に通し、喉の前で結び目を作って体の前に垂らすネクタイを有したワイシャツであって、
前記ワイシャツ本体の外襟の長手方向を横断する方向に平行な第１のスリットと第２のスリットを前記外襟に設け、
前記第１のスリットと前記第２のスリットに前記ネクタイを通して止め、前記ワイシャツ本体の内襟と外襟との間に通した前記ネクタイがずり落ちるのを防止し、
前記第１のスリットと前記第２のスリットに前記ネクタイを通して止めは、前記第１のスリットと前記第２のスリットとに間の前記外襟の部位の上に前記ネクタイが位置している関係にある
ことを特徴とするワイシャツ。
【考案の詳細な説明】
【技術分野】
【０００１】
本考案は、ワイシャツに係り、特に、ネクタイがずり落ちない機能を有しながら見映えの改善をも図ったワイシャツに関する。
【背景技術】
【０００２】
従来、ネクタイが襟からはみ出さないようにしたワイシャツがある（例えば、特許文献参照）。
これは、ワイシャツ本体の襟の裏の部分に、ネクタイ挿通用の紐を１乃至複数本取り付けたものである。
【先行技術文献】
【特許文献】
【０００３】
【特許文献１】実用新案登録第３０３５６５９号公報  図１
【考案の概要】
【考案が解決しようとする課題】
【０００４】
しかしながら、上述のワイシャツにあっては、ワイシャツ本体の内襟の外側に縦方向にネクタイ挿通用の紐を１乃至複数本形成しているため、ネクタイ装着時、ワイシャツの厚さにネクタイ挿通用の紐の厚さが加わって、ワイシャツ本体の内襟と外襟との間(下方部)に隙間が生じ、見映えが良くないという問題点があった。    
【０００５】
本考案は、上記の問題点を除去するように、ネクタイがずり落ちない機能を有しながら見映えの改善をも図ったワイシャツを提供することを目的とする。
【課題を解決するための手段】
【０００６】
請求項１記載のワイシャツは、ワイシャツ本体の内襟と外襟との間に通し、喉の前で結び目を作って体の前に垂らすネクタイを有したワイシャツであって、前記ワイシャツ本体の外襟に設けられたボタン穴と、前記ワイシャツ本体の内襟に取り付けられ、前記ボタン穴に通して止められるボタンとを備え、前記ボタンを前記ボタン穴に通して止め、前記ワイシャツ本体の内襟と外襟との間に通した前記ネクタイがずり落ちるのを防止するものである。
【０００７】
また、請求項２記載のワイシャツは、  ワイシャツ本体の内襟と外襟との間に通し、喉の前で結び目を作って体の前に垂らすネクタイを有したワイシャツであって、前記ワイシャツ本体の外襟に設けられた第１の面状ファスナーと、前記ワイシャツ本体の内襟に取り付けられ、前記第１の面状ファスナーに係止する第２の面状ファスナーとを備え、前記第１の面状ファスナーに前記第２の面状ファスナーを係止し、前記ワイシャツ本体の内襟と外襟との間に通した前記ネクタイがずり落ちるのを防止するものである。
【０００８】
また、請求項３記載のワイシャツは、ワイシャツ本体の内襟と外襟との間に通し、喉の前で結び目を作って体の前に垂らすネクタイを有したワイシャツであって、前記ワイシャツ本体の外襟の長手方向を横断する方向に平行な第１のスリットと第２のスリットを前記外襟に設け、前記第１のスリットと前記第２のスリットに前記ネクタイを通して止め、前記ワイシャツ本体の内襟と外襟との間に通した前記ネクタイがずり落ちるのを防止し、前記第１のスリットと前記第２のスリットに前記ネクタイを通して止めは、前記第１のスリットと前記第２のスリットとに間の前記外襟の部位の上に前記ネクタイが位置している関係にある。
【考案の効果】
【０００９】
請求項１記載のワイシャツによれば、ワイシャツ本体の内襟のボタンをワイシャツ本体の外襟のボタン穴に通して止めるため、簡易な手段により外襟が内襟に近接し、ワイシャツ本体の外襟と内襟との下方部の隙間を小さくして、ワイシャツ本体の外襟付近の外観を損ねることなく、ネクタイがずり落ちない機能を備えることができ、しかも、ワイシャツ本体の外襟に露出したボタンの色、形でワイシャツの襟の後側において、おしゃれな装飾性をも持たせることができる。
【００１０】
また、請求項２記載のワイシャツによれば、ワイシャツ本体の外襟の第１の面状ファスナーをワイシャツ本体の内襟の第２の面状ファスナーに係止させるため、簡易な手段により外襟が内襟に近接し、ワイシャツ本体の外襟と内襟との下方部の隙間を小さくして、ワイシャツ本体の外襟付近の外観を損ねることなく、ネクタイがずり落ちない機能を備えることができる。
【００１１】
また、請求項３記載のワイシャツによれば、第１のスリットと第２のスリットにネクタイを通して止め、ワイシャツ本体の内襟と外襟との間に通したネクタイがずり落ちるのを防止し、 前記の「第１のスリットと第２のスリットにネクタイを通して止め」は、第１のスリットと第２のスリットとに間の外襟の部位の上にネクタイが位置している関係にあるため、簡易な手段により外襟が内襟に近接し、ワイシャツ本体の外襟と内襟との下方部の隙間を小さくして、ワイシャツ本体の外襟付近の外観を損ねることなく、ネクタイがずり落ちない機能を備えることができ、しかも、ワイシャツ本体の外襟に露出したネクタイにより、該ネクタイの色、形でワイシャツの襟の後側において、おしゃれな装飾性をも持たせることができ、加えて、装着するネクタイによりおしゃれな装飾性に変化をも与えることができる。
【図面の簡単な説明】
【００１２】
【図１】図１は、本考案の一実施例のワイシャツの概略的正面図である。
【図２】図２は、図１のワイシャツにネクタイを装着する前の状態を背面側から見た概略的図である。
【図３】図３は、図１の概略的背面図である。
【図４】図４は、図１乃至図３のワイシャツと異なる他の実施例のワイシャツにネクタイを装着する前の状態を背面側から見た概略的図である。
【図５】図５は、図４のワイシャツにネクタイを装着した状態を背面側から見た概略的図である。
【図６】図６は、図４及び図５のワイシャツと異なる他の実施例のワイシャツの概略的正面図である。
【図７】図７は、図６のワイシャツにネクタイを装着する前の状態を背面側から見た概略的図である。
【図８】図８は、図６の概略的背面図である。
【図９】図９は、図６乃至図８のワイシャツと異なる他の実施例のワイシャツにネクタイを装着する前の状態を背面側から見た概略的図である。
【図１０】図１０は、図９のワイシャツにネクタイを装着した状態を背面側から見た概略的図である。
【図１１】図１１は、図９及び図１０のワイシャツと異なる他の実施例のワイシャツの概略的正面図である。
【図１２】図１２は、図１１のワイシャツにネクタイを装着する状態を背面側から見た概略的図である。
【図１３】図１３は、図１１の概略的背面図である。
【図１４】図１４は、図１１乃至図１３のワイシャツと異なる他の実施例のワイシャツの概略的正面図である。
【図１５】図１５は、図１４のワイシャツにネクタイを装着する状態を背面側から見た概略的図である。
【図１６】図１６は、図１４の概略的背面図である。
【考案を実施するための形態】
【００１３】
本考案の一実施例のワイシャツを図面を参照して説明する。
図１乃至図３に示すＷはワイシャツで、ワイシャツＷは、ワイシャツ本体１の内襟２と外襟３との間に通し、喉の前で結び目を作って体の前に垂らすネクタイＮを有したものである。
ワイシャツ本体１の外襟３には、ボタン穴４（ボタン穴４は、図２では、水平方向に形成されているが、本考案にあっては、これに限らず、図示しないが、垂直方向に設けるようにしても良い。)が設けられている。また、ワイシャツ本体１の内襟２にはボタン５が取り付けられている。ボタン５をボタン穴４に通して止められるようになっている。
そして、図２の状態にあって、ネクタイＮをボタン５の上に位置させるようにし、その後、外襟３を内襟２の側へ折る。この状態においては、ネクタイＮは、ワイシャツ本体１の内襟２と外襟３との間に通した状態となっている。その後、ボタン５をボタン穴４に通して止め、ワイシャツ本体１の内襟２と外襟３との間に通したネクタイＮの垂直方向の動きを規制し、ネクタイＮがずり落ちるのを防止することができる。
従って、上述したワイシャツＷによれば、ワイシャツ本体１の内襟２のボタン５をワイシャツ本体１の外襟３のボタン穴４に通して止めるため、簡易な手段により外襟３が内襟２に近接し、ワイシャツ本体１の外襟３と内襟２との下方部の隙間を小さくして、ワイシャツ本体１の外襟３付近の外観を損ねることなく、ネクタイＮがずり落ちない機能を備えることができ、しかも、ワイシャツ本体１の外襟３に露出したボタン５の色、形でワイシャツの襟の後側において、おしゃれな装飾性をも持たせることができる。
【００１４】
なお、上述した図１乃至図３に記載のワイシャツＷにあっては、ワイシャツ本体１の外襟３にボタン穴４、内襟２にボタン５をそれぞれ単一に設けたが、
本考案にあっては、これに限らず、例えば、図４及び図５に示すように、ワイシャツ本体１の外襟３に複数（例えば、２個）のボタン穴４、４、内襟２に複数（例えば、２個）のボタン５、５を設けるようにし、ワイシャツ本体１の内襟２のボタン５、５をワイシャツ本体１の外襟３のボタン穴４、４に通して止め、ワイシャツ本体１の内襟２と外襟３との間に通したネクタイＮがずり落ちるのを防止するようにしても良い。
【００１５】
また、上述した図１乃至図３に記載のワイシャツＷにあっては、ワイシャツ本体１の外襟３の背面側にボタン穴４、内襟２の背面側にボタン５をそれぞれ設けたが、本考案にあっては、これに限らず、例えば、図６乃至図８に示すように、外襟３の両側近傍にボタン穴６、６を、該ボタン穴６、６にそれぞれ対応するボタン７、７をワイシャツ本体１の前側に設けるようにしても良い。望ましくは、ボタン５、７、７を共通化し、おしゃれな装飾性を持たせるようにしても良い。
【００１６】
また、上述した図１乃至図８に記載のワイシャツＷにあっては、ワイシャツ本体１の外襟３の背面側にボタン穴４、内襟２の背面側にボタン５をそれぞれ設けたが、本考案にあっては、これに限らず、例えば、図９及び１０に示すように、ワイシャツ本体１の外襟３に設けられた第１の面状ファスナー４’、ワイシャツ本体１の内襟２に取り付けられ、第１の面状ファスナー４’に係止する第２の面状ファスナー５’としても良い。
第１の面状ファスナー４’が雄型の面状ファスナーであれば、第２の面状ファスナー５’は雌型の面状ファスナー、第１の面状ファスナー４’が雌型の面状ファスナーであれば、第２の面状ファスナー５’は雄型の面状ファスナー、第１の面状ファスナー４’が雄雌型の面状ファスナーであれば、第２の面状ファスナー５’は雄雌型又は雄型又は雌型の面状ファスナーである。
ネクタイＮをワイシャツＷに装着するには、図９の状態にあって、ネクタイＮを第２の面状ファスナー５’の上に位置させるようにし、その後、外襟３を内襟２の側へ折る。この状態においては、ネクタイＮは、ワイシャツ本体１の内襟２と外襟３との間に通した状態となっている。その後、第２の面状ファスナー５’を第１の面状ファスナー４’に係止させ、ワイシャツ本体１の内襟２と外襟３との間に通したネクタイＮの垂直方向の動きを規制し、ネクタイＮがずり落ちるのを防止することができる。
従って、上述した図９及び１０に示すワイシャツＷによれば、ワイシャツ本体１の外襟３の第１の面状ファスナー４’をワイシャツ本体１の内襟２の第２の面状ファスナー５’に係止させるため、簡易な手段により外襟３が内襟２に近接し、ワイシャツ本体１の外襟３と内襟２との下方部の隙間を小さくして、ワイシャツ本体１の外襟３付近の外観を損ねることなく、ネクタイＮがずり落ちない機能を備えることができる。
【００１７】
なお、上述した図９及び図１０に記載のワイシャツＷにあっては、ワイシャツ本体１の外襟３の第１の面状ファスナー４’、内襟２の第２の面状ファスナー５’をそれぞれ設けたが、本考案にあっては、これに限らず、例えば、図１１乃至１３に示す第１のスリットＳ１、第２のスリットＳ２でも良い。
即ち、第１のスリットＳ１と第２のスリットＳ２は、外襟３に設けられ、第１のスリットＳ１と第２のスリットＳ２は、ワイシャツ本体１の外襟３の長手方向Ｌ（図１２参照）を横断する方向にあって平行なものとなっている。
そして、図１２に示すように、第１のスリットＳ１と第２のスリットＳ２にネクタイＮを通して止め、ワイシャツ本体１の内襟２と外襟３との間に通したネクタイＮがずり落ちるのを防止することができる。
前記した「第１のスリットＳ１と第２のスリットＳ２にネクタイＮを通して止め」は、第１のスリットＳ１と第２のスリットＳ２とに間の外襟３の部位３Ａの上にネクタイＮが位置している関係にある。
従って、上述した図１１乃至１３に示すワイシャツＷによれば第１のスリットＳ１と第２のスリットＳ２にネクタイＮを通して止め、ワイシャツ本体１の内襟２と外襟３との間に通したネクタイＮがずり落ちるのを防止し、 前記の「第１のスリットＳ１と第２のスリットＳ２にネクタイＮを通して止め」は、第１のスリットＳ１と第２のスリットＳ２とに間の外襟３の部位３Ａの上にネクタイＮが位置している関係にあるため、簡易な手段により外襟３が内襟２に近接し、ワイシャツ本体１の外襟３と内襟２との下方部の隙間を小さくして、ワイシャツ本体１の外襟３付近の外観を損ねることなく、ネクタイＮがずり落ちない機能を備えることができ、しかも、ワイシャツ本体１の外襟３に露出したネクタイＮにより、該ネクタイＮの色、形でワイシャツの襟の後側において、おしゃれな装飾性をも持たせることができ、加えて、装着するネクタイによりおしゃれな装飾性に変化をも与えることができる。
【００１８】
なお、第１のスリットＳ１と第２のスリットＳ２とに間の外襟３の部位３Ａの上に露出したネクタイＮの幅Ｍは、図１１乃至図１３に記載に限らず、適宜定めることができ、例えば、図１４乃至図１６に記載のように、広く形成することもできる。
【符号の説明】
【００１９】
Ｗ      ワイシャツ
Ｎ      ネクタイ
１      ワイシャツ本体
２      内襟
３      外襟
４      ボタン穴
５      ボタン
【図１】
0003168169.tif 000003
【図２】
0003168169.tif 000004
【図３】
0003168169.tif 000005
【図４】
0003168169.tif 000006
【図５】
0003168169.tif 000007
【図６】
0003168169.tif 000008
【図７】
0003168169.tif 000009
【図８】
0003168169.tif 000010
【図９】
0003168169.tif 000011
【図１０】
0003168169.tif 000012
【図１１】
0003168169.tif 000013
【図１２】
0003168169.tif 000014
【図１３】
0003168169.tif 000015
【図１４】
0003168169.tif 000016
【図１５】
0003168169.tif 000017
【図１６】
0003168169.tif 000018